(57)【要約】【課題】ナビゲーション装置における地図付加情報（ナビデータ）の更新を、簡単且つ低コストに行えるようにすることを目的とする。【解決手段】テレビジョン装置でデータ放送が選局されると（Ｓ１）、その番組放送に含まれるメタデータを分離し（Ｓ２）、そのコンテンツに所定のキーワード（住所や電話番号等）が含まれているメタデータを検出し（Ｓ３）、そのメタデータを更新用のナビデータとして作成する（Ｓ７）。システムにナビゲーション装置が接続されている場合は（Ｓ８／Ｙ）、作成した更新用ナビデータをそのナビゲーション装置に送信し（Ｓ９）、システムにナビゲーション装置が接続されていない場合は（Ｓ８／Ｎ）、作成した更新用ナビデータをレコーダに送信する（Ｓ１０）。【選択図】図３
2008139158.tif 000002
【特許請求の範囲】
【請求項１】
データ放送またはインターネットから提供されるコンテンツ情報を受信するコンテンツ情報受信手段と、該コンテンツ情報受信手段により受信したコンテンツ情報からメタデータを抽出するメタデータ抽出手段と、抽出したメタデータに所定のキーワードが含まれているメタデータに基づいてナビゲーション機器における更新用ナビデータとして利用可能な更新用ナビデータを作成する更新用ナビデータ作成手段と、該更新用ナビデータ作成手段で作成した更新用ナビデータを所定の記憶手段に送出する更新用ナビデータ送出手段と、を備えたことを特徴とする更新用ナビデータ生成機能付きテレビジョン受信機。
【請求項２】
前記所定のキーワードは、少なくとも住所情報又は電話番号情報を含むことを特徴とする請求項１に記載の更新用ナビデータ生成機能付きテレビジョン受信機。
【請求項３】
前記更新用ナビデータ作成手段は、前記キーワードを含むメタデータに連動する画像データが有る場合は、該画像データを含めて更新用ナビデータを作成することを特徴とする請求項２に記載のテレビジョン受信機。
【請求項４】
前記更新用ナビデータ作成手段に作成された更新用ナビデータの送出先の記憶手段として当該受信機に装着されたメモリカードを含むことを特徴とする請求項１から３のいずれかに記載の更新用ナビデータ生成機能付きテレビジョン受信機。
【請求項５】
前記更新用ナビデータ作成手段に作成された更新用ナビデータの送出先の記憶手段として当該受信機に内蔵のＨＤＤを含むことを特徴とする請求項１から３のいずれかに記載の更新用ナビデータ生成機能付きテレビジョン受信機。
【請求項６】
前記更新用ナビデータ作成手段により作成された更新用ナビデータを当該受信機に接続された外部機器に送信可能にする所定の接続手段をさらに備えることを特徴とする請求項１から３のいずれかに記載の更新用ナビデータ生成機能付きテレビジョン受信機。
【請求項７】
前記接続手段は、ＨＤＭＩ規格に準じた通信手段であることを特徴とする請求項６に記載の更新用ナビデータ生成機能付きテレビジョン受信機。
【請求項８】
前記更新用ナビデータ作成手段に作成された更新用ナビデータの送出先はユーザ設定により指定可能であることを特徴とする請求項１から７のいずれかに記載の更新用ナビデータ生成機能付きテレビジョン受信機。
【発明の詳細な説明】
【技術分野】
【０００１】
本発明は、ナビゲーション装置における地図付加情報であるナビデータの更新に利用可能な更新用ナビデータを生成する機能を備えたテレビジョン受信機に関する。
【背景技術】
【０００２】
近年、カーナビゲーションが広く普及しており、その地図情報には食堂、店舗、宿泊設備、観光スポット等のいわゆるＰＯＩ（ポイント・オブ・インタレスト）情報を地図上に表示するものもある。また、カーナビゲーションだけでなく、ポータブル型のナビゲーション装置やナビゲーション機能付きの携帯電話や携帯情報端末などにおいてもＰＯＩ情報を表示する機能を備えた機器も普及しはじめている。
【０００３】
このようなナビゲーション機器におけるＰＯＩ情報を表示するためのナビデータは適宜更新する必要がある。
特許文献１には、旅番組などの放送番組と、放送番組に対応するインターネット上の情報を利用することにより最新のナビデータを生成する技術が開示されている。
【特許文献１】特開２００６−３１４４１号公報
【発明の開示】
【発明が解決しようとする課題】
【０００４】
しかしながら、上述した従来技術は、ユーザがテレビ番組を視聴しながら興味のあるシーンにマーキングするという面倒な作業が必要であり、また、それなりのコストもかかる。さらに、インターネットを介してナビゲーションデータを生成するという重い処理が必要である、等の問題があった。
【０００５】
本発明はこのような問題に鑑み、ナビゲーション機器における上述したＰＯＩ情報を表示するためのナビデータの更新を、簡単且つ低コストに行えるようにすることを目的としたものである。
【課題を解決するための手段】
【０００６】
上述の課題を達成するために、本発明の第１の技術手段は、更新用ナビデータ生成機能付きテレビジョン受信機であって、データ放送またはインターネットから提供されるコンテンツ情報を受信するコンテンツ情報受信手段と、該コンテンツ情報受信手段により受信したコンテンツ情報からメタデータを抽出するメタデータ抽出手段と、抽出したメタデータに所定のキーワードが含まれているメタデータに基づいてナビゲーション機器における更新用ナビデータとして利用可能な更新用ナビデータを作成する更新用ナビデータ作成手段と、該更新用ナビデータ作成手段で作成した更新用ナビデータを所定の記憶手段に送出する更新用ナビデータ送出手段と、を備えたことを特徴としたものである。
【０００７】
第２の技術手段は、第１の技術手段において、前記所定のキーワードは、少なくとも住所情報又は電話番号情報を含むことを特徴としたものである。
【０００８】
第３の技術手段は、第２の技術手段において、前記更新用ナビデータ作成手段は、前記キーワードを含むメタデータに連動する画像データが有る場合は、該画像データを含めて更新用ナビデータを作成することを特徴としたものである。
【０００９】
第４の技術手段は、第１から３のいずれかの技術手段において、前記更新用ナビデータ作成手段に作成された更新用ナビデータの送出先の記憶手段として当該受信機に装着されたメモリカードを含むことを特徴としたものである。
【００１０】
第５の技術手段は、第１から３のいずれかの技術手段において、前記更新用ナビデータ作成手段に作成された更新用ナビデータの送出先の記憶手段として当該受信機に内蔵のＨＤＤを含むことを特徴としたものである。
【００１１】
第６の技術手段は、第１から３のいずれかの技術手段において、前記更新用ナビデータ作成手段により作成された更新用ナビデータを当該受信機に接続された外部機器に送信可能にする所定の接続手段をさらに備えることを特徴としたものである。
【００１２】
第７の技術手段は、第６の技術手段において、前記接続手段は、ＨＤＭＩ規格に準じた通信手段であることを特徴としたものである。
【００１３】
第８の技術手段は、第１から７のいずれかの技術手段において、前記更新用ナビデータ作成手段に作成された更新用ナビデータの送出先はユーザ設定により指定可能であることを特徴としたものである。
【発明の効果】
【００１４】
本発明によれば、データ放送あるいはインターネットからメタデータが付加されたコンテンツ情報が受信されると、所定のキーワードを含むメタデータあるいはそれに連動する映像データを含めて更新用ナビデータを作成し、作成した更新用ナビデータを所望の記憶手段に保存することができ、また、対応するナビゲーション機器が当該受信機に接続されている場合には、そのナビゲーション機器に更新用ナビデータを直接送信することが可能となるので、ナビゲーション機器におけるナビデータを簡単且つ低コストで更新することが可能となる。
【００１５】
また、更新用ナビデータをメモリカードに保存するようにした場合は、そのメモリカードをナビゲーション機器のカードホルダに装着することにより、メモリカードに保存されている更新用ナビデータをナビゲーション機器に読み込ませてナビデータを更新することも可能となる。
【００１６】
さらに、更新用ナビデータを外部機器としてのレコーダに保存するようにした場合は、当該受信機に接続されているレコーダから所定の接続手段を介してレコーダに保存された更新用ナビデータをナビゲーション機器に送信することが可能となる。
【発明を実施するための最良の形態】
【００１７】
以下、本発明の一実施形態について、図面を参照しながら説明する。図１は、本発明のテレビジョン受信機の一実施形態を示すブロック図であり、テレビジョン受信機１００は、受信した放送信号からデータ放送を再生する機能およびブラウザを起動してインターネットを受信する機能を有している。
【００１８】
図１において、チューナ１０１は、アンテナＡＴから受信した放送信号の中からユーザが指定したチャンネルの選局処理を行う。ＴＶ信号処理部１０２はチューナ１０１で選局されたＴＶ信号を処理し、映像信号および音声信号を合成処理部１０３に出力する。合成処理部１０３は、ＴＶ信号処理部１０２からの映像信号による映像画面に後述するデータ放送処理部１０４やブラウザ処理部１０９からの画像信号、およびＯＳＤ信号生成部１１２からのＯＳＤ信号も入力される。
【００１９】
出力処理部１０４は、合成処理部１０３からの映像信号を各種の設定パラメータに基づいてコントラスト、輝度、彩度などの補正処理を行い表示部１０５に出力すると共に、音声信号の音量調整、音質調整および増幅を行い、スピーカなどの音声出力手段１６に出力する。
データ放送処理部１０７は、後述する「ナビデータ保存」が設定され、データ放送を行っているチャンネルが選局されるとその放送番組におけるＢＭＬ形式のコンテンツに含まれるメタデータを抽出すると共にコンテンツデータを合成処理部１０３に出力する。
【００２０】
インターネット受信処理部１０８は、ユーザ操作によりインターネット受信モードが選択されてＰＯＩ情報を含むコンテンツの配信サービスを行っているホームページにアクセスが開始されるとｈｔｍｌ形式のコンテンツの中からメタデータを抽出する共に、そのコンテンツデータをブラウザ処理部１０９に出力する。
ブラウザ処理部１０９は、インターネット受信処理部１０８からのコンテンツデータを表示部１０６に表示可能なフォーマットに変換して合成処理部１０３に出力する。
【００２１】
情報解析処理部１１０は、データ放送処理部１０７あるいはインターネット受信処理部１０８から送られてきたメタデータの中に電話番号や住所などのあらかじめ指定されているキーワードが含まれているか否かを解析し、所定のキーワードを含んでいるメタデータを更新用ナビデータ作成処理部１１１に出力する。
更新用ナビデータ作成処理部１１１は、情報解析処理部１１０からのメタデータに基づいてナビゲーション機器における更新用ナビデータとして利用可能なフォーマットの更新用ナビデータを作成する。なお、データ放送から取得したコンテンツについては、そのメタデータに連動する画像情報が有る場合はＴＶ信号処理部１０２からその画像データが入力される。
【００２２】
制御部１１３は、ＣＰＵ１１４と、各種処理プログラムが格納されているＲＯＭ１１５、ワークメモリとしてのＲＡＭ１１６、各種設定用のデータを保存する不揮発性メモリ１１７等を備えて構成され、チューナ部１０１のチャンネル切り換えをはじめＴＶ信号処理部１０２、合成処理部１０３、出力処理部１０４、データ放送処理部１０７、インターネット受信処理部１０８、ブラウザ処理部１０９、情報処理解析部１１０、更新用ナビデータ作成処理部１１１およびＯＳＤ信号生成部１１２に対しての制御を行う。
【００２３】
また、制御部１１３には、本体に設けられている操作入力部１１８とリモコンＩ／Ｆ１１９が接続されており、リモートコントローラ１２１からの操作信号を受信する受光部１２０はリモコンＩ／Ｆ１１９に接続されている。
また、制御部１１３には通信Ｉ／Ｆ１２２が接続されており、ユーザ操作によりブラウザが起動されると通信Ｉ／Ｆ１２２を介してインターネット１２３に接続され、あらかじめ登録されているＵＲＬのウェブサーバ１２４が提供するコンテンツ情報が取得可能となる。
【００２４】
さらに制御部１１３には、カードＩ／Ｆ１２５が接続されており、カードホルダ１２６にメモリカード１２７が装着されていると、該メモリカード１２７には更新用ナビデータ作成処理部１１１で作成された更新用ナビデータをはじめとして設定に応じて受信した放送番組やインターネットからの各種の映像音声データを保存することができる。
【００２５】
また、制御部１１３には、長時間の動画が記録可能な内蔵のＨＤＤ（ハードディスクレコーダ）１２８が接続されており、カードホルダ１２６にメモリカードが装着されていない場合やメモリカードの残容量が無くなった場合などは更新用ナビデータがＨＤＤ１２８の方に送出されるようになっている。
また、制御部１１３には、ＨＤＭＩトランスミッタ１２９およびフロントマイコン１３０を介してＣＥＣ Ｉ／Ｆ１３１が接続され、ＨＤＭＩトランスミッタ１２９およびＣＥＣ Ｉ／Ｆ１３１の他端は、ＨＤＭＩコネクタ１３２に接続される。
【００２６】
テレビジョン受信機１００に外部機器を接続する場合は、デジタル信号である映像・音声信号を差動方式で伝送するためのＴＭＤＳ（Transition Minimized Differential Signaling；デジタル信号転送ライン）１３３と機器間で共通の制御信号（ＣＥＣコマンド）を伝送する双方向バスであるＣＥＣ（Consumer Electronics Control）ライン１３４を含むＨＤＭＩケーブルが用いられる。
【００２７】
よく知られているようにＣＥＣはＨＤＭＩで規格化されている制御プロトコルであり、ＣＥＣコマンドはＣＥＣプロトコルに基づく制御信号である。そしてＣＥＣコマンドを用いて接続機器間で情報をやりとりすることにより、テレビジョン受信機１００と接続機器との間で各種の動作制御、および接続機器の種類や動作状態の通知などを行う。すなわち、ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００２８】
したがって、テレビジョン受信機１００にＨＤＭＩ対応のレコーダやナビゲーション装置が接続されている場合、ＨＤＭＩトランスミッタ１２９は設定に応じて更新用ナビデータ作成処理部１１１で生成された更新用ナビデータをＨＤＭＩの伝送形式に変換してＨＤＭＩ対応のレコーダやナビゲーション機器に送信することが可能である。
また、ＣＥＣ Ｉ／Ｆ１３１はＣＥＣコントローラを含むフロントマイコン１３０により制御され、上述したようにＣＥＣコマンドによってＨＤＭＩ接続された機器の種類や機器の状態の通知要求や、接続機器の制御を行う。
【００２９】
次に、データ放送におけるメタデータから地図用メタデータを生成する処理について説明する。
データ放送における番組情報のフォーマットでは、ジャンルの指定はあるが、住所、電話番号などの情報のフォーマットは無いため、テキスト内から電話番号や住所などの情報を検出する検出処理が必要となる。フォーマット例としては、（１）カーナビ地図情報を示すヘッダ、（２）住所情報ヘッダ＋住所情報、（３）電話番号ヘッダ＋電話番号、（４）店情報などの付加データ、（５）メタデータに連動する映像データＩＤ、などが含まれる。
【００３０】
図２は、上述したフォーマットの一例を示したものであり、住所情報については、データ情報が住所情報であることを表す４ｂｉｔ、「県」、「市町村」および「その他」をそれぞれ表す４ｂｉｔ、電話番号情報については、データ情報が電話番号であることを表す４ｂｉｔ、電話番号の「上位」を表す４ｂｉｔ、「下位」を表す１ｂｙｔｅ、となっている（図２（Ａ）。また、データ情報が店名情報データあることを表す４ｂｉｔ、「名称文字数」を表す４ｂｉｔ、「名称ｎ文字目（上位）」表す１ｂｙｔｅ、「名称ｎ文字目（下位）」表す１ｂｙｔｅからなっている（図２（Ｂ））。また、「トイレ有り」や「駐車場有り」など、カーナビでよく使う情報があればそれも付加情報として含める（図２（Ｃ））。さらに、ヘッダ情報として「データ登録要求」、「データ数」、「映像データ有無」、「映像データＩＤ」などが含める。なお、映像ＩＤはテレビジョン受信機側で付与される。
【００３１】
次に、上述したテレビジョン受信機において「ナビデータ保存」のユーザ設定がなされている場合の処理フローについて、図３を用いて説明する。
まず、ステップＳ１において、ユーザ操作によりデータ放送又はインターネットが受信されると、ステップＳ２で「ナビデータ保存」が設定されているか否かを判定し、設定されていると判定された場合（ＹＥＳの場合）は、ステップＳ３でナビデータを保存する記憶手段が有るか否かを判定する。この判定は、内蔵ＨＤＤ１２８とメモリカード１２７の他に、ＨＤＭＩ対応の外部機器（不図示）が接続されている場合には上述したＣＥＣコマンドを用いてその情報を取得することにより行われる。
【００３２】
ステップＳ３で、ナビデータを保存する記憶手段が有ると判定された場合（ＹＥＳの場合）は、ステップＳ４においてＢＭＬ形式のコンテンツ（データ放送が受信されている場合）又はｈｔｍｌ形式のコンテンツ（インターネットが受信されている場合）を取得し、次いで、ステップＳ５において取得したコンテンツからメタデータを抽出する。
【００３３】
ステップＳ６では、抽出したメタデータの中に所定のキーワードが含まれているか否かを判定し、所定のキーワードが含まれていないと判定した場合（ＮＯの場合）は、取得したコンテンツを破棄して（ステップＳ７）ステップＳ４に戻る。ステップＳ６で所定のキーワードが含まれていると判定した場合（ＹＥＳの場合）は、ステップＳ８でそのメタデータに連動する画像情報が有るか否かを判定し、画像情報が有ると判定した場合（ＹＥＳの場合）は、ステップＳ９において更新用ナビデータ作成処理部１１１が画像データ付き更新用ナビデータを作成する。ここで、データ放送からの場合はＴＶ信号処理部１０２からそのメタデータに連動する画像情報が更新用ナビデータ作成処理部１１１に供給される。
【００３４】
ステップＳ８でそのメタデータに連動する画像情報が無いと判定した場合は（ＮＯの場合）、更新用ナビデータ作成処理部１１１は文字データによる更新用ナビデータを作成する（ステップＳ１０）。
ステップＳ１１では、更新用ナビデータを保存する記憶手段すなわち保存先が指定されている場合（ＹＥＳの場合）、指定された記憶手段に更新用ナビデータを保存し、ステップＳ４に戻って次のコンテンツを取得する。
【００３５】
ステップＳ１１において更新用ナビデータの保存先が指定されていない場合（ＮＯの場合）、カードホルダ１２６に記録可能なメモリカードが装着されていれば（ステップＳ１３でＹＥＳの場合）そのメモリカードに更新用ナビデータを保存し(ステップＳ１４)、ステップＳ１６で記憶算容量のチェックを行う。保存後のメモリカードに記憶残容量がある場合（ＹＥＳの場合）は、ステップＳ４に戻って次のコンテンツを取得する。
【００３６】
ステップＳ１３においてカードホルダに記録可能なメモリカードが装着されていないと判定した場合あるいはステップＳ１６で保存後のメモリカードに記録残容量が無いと判定した場合（ＮＯの場合）は、ステップＳ１５で記録可能な記憶手段に更新用ナビデータを保存してステップＳ４に戻り、次のコンテンツを取得する。
上述したステップＳ４からステップＳ１６までの処理は、テレビジョン受信機がデータ放送受信状態又はインターネット受信状態になっている間は継続して行われる。
【００３７】
以上説明したように、本発明によるテレビジョン受信機によれば、データ放送受信又はインターネット受信により取得したコンテンツからナビゲーション機器の更新用ナビデータを作成し、その更新用ナビデータを記憶手段に保存あるいは、直接ナビゲーション装置に供給することができるので、ナビゲーション機器の更新用ナビデータを簡単かつ低コストで最新のナビデータに更新することができるようになる。
【００３８】
なお、本発明は、テレビジョン受信機能を備えた、いわゆるテレビパソコンで実現するようにしてもよい。
また、テレビジョン受信機に着脱可能な記憶媒体としてメモリカードの他にＵＳＢメモリを利用するようにしてもよい。
【図面の簡単な説明】
【００３９】
【図１】本発明の実施形態におけるテレビジョン受信機の機能ブロックの一例を示す図である。
【図２】データ放送に付加されるメタデータのフォーマット例を示す図である。
【図３】本発明のテレビジョン受信機において「ナビデータ保存」が設定されている場合の処理フローを示す図である。
【符号の説明】
【００４０】
１００…テレビジョン受信機、１０１…チューナ部、１０２…ＴＶ信号処理部、１０３…合成処理部、１０４…出力処理部、１０５…音声出力部、１０６…表示部、１０７…データ放送処理部、１０８…ブラウザ処理部、１０９…インターネット受信処理部、１１０…情報解析処理部、１１１、…更新用ナビデータ作成処理部、１１２…ＯＳＤ信号生成部、１１３…制御部、１１４…ＣＰＵ、１１５…ＲＯＭ、１１６…ＲＡＭ、１１７…不揮発性メモリ、１１８…操作入力部、１１９…リモコンＩ／Ｆ、１２０…受光部、１２１…リモコン、１２２…通信Ｉ／Ｆ、１２３…インターネット、１２４…ウェブサーバ、１２５…カードＩ／Ｆ、１２６…カードホルダ、１２７…メモリカード、１２８…ＨＤＤ、１２９…ＨＤＭＩトランスミッタ、１３０…フロントマイコン、１３１…ＣＥＣＩ／Ｆ、１３２…ＨＤＭＩコレクタ、１３３…ＴＭＤＳライン、１３４…ＣＥＣライン。
【図１】
2008139158.tif 000003
【図２】
2008139158.tif 000004
【図３】
2008139158.tif 000005